(57)【要約】【課題】ボイラ運転時に構造物の熱伸びによる異常応力を発生させずに、ダクトとバッフル間の熱ガスのショートパスを防止することができる排熱回収ボイラを提供する。【解決手段】熱ガスが流れるダクト２と、ダクト２の内側に配置されるバッフル７と、バッフル７の内側に配置される複数の伝熱管５と、ダクト２とバッフル７との間の空間２０に配置され、空間２０をショートパスする熱ガスを遮るショートパス防止板１１およびガスシール板１２とを備え、ショートパス防止板１１は、ダクト２およびバッフル７のいずれか一方から他方に向けて、該他方との間に間隙が形成されるように張り出しており、ガスシール板１２は、一端が固定端で他端が自由端であり、固定端と自由端との間が熱ガスの流れ方向下流側に凸となるように湾曲して前記間隙を塞ぐように配置されている。【選択図】  図３
2011122808.tif 000002
【特許請求の範囲】
【請求項１】
熱ガスが流れるダクトと、
前記ダクトの内側に、前記ダクトの内面に沿って配置されるバッフルと、
前記バッフルの内側に配置される複数の伝熱管と、
前記ダクトと前記バッフルとの間の空間に配置され、前記空間をショートパスする熱ガスを遮るショートパス防止板およびガスシール板とを備え、
前記ショートパス防止板は、前記ダクトおよび前記バッフルのいずれか一方から他方に向けて、該他方との間に間隙が形成されるように張り出しており、
前記ガスシール板は、一端が固定端で他端が自由端であり、前記固定端と前記自由端との間が前記熱ガスの流れ方向下流側に凸となるように湾曲して前記間隙を塞ぐように配置されることを特徴とする排熱回収ボイラ。
【請求項２】
前記ガスシール板の前記自由端は、前記ガスシール板の復元力により前記間隙を塞ぐ方向に付勢されていることを特徴とする請求項１記載の排熱回収ボイラ。
【請求項３】
前記ショートパス防止板は、前記バッフルに固定され、
前記ガスシール板は、前記固定端が前記ショートパス防止板に固定され、前記自由端が前記ダクトの内面に接触していることを特徴とする請求項１又は２に記載の排熱回収ボイラ。
【請求項４】
前記ガスシール板が、前記ショートパス防止板の熱ガスの流れ方向下流側の面に固定されており、前記ショートパス防止板が、前記ガスシール板に沿うように湾曲していることを特徴とする請求項３記載の排熱回収ボイラ。
【請求項５】
前記ショートパス防止板は、前記バッフルに固定され、
前記ガスシール板は、前記固定端が前記ダクトの内面に固定され、前記自由端が前記熱ガスの流れ方向上流側の前記ショートパス防止板の面に接触していることを特徴とする請求項１又は２に記載の排熱回収ボイラ。
【請求項６】
前記ガスシール板の前記固定端は複数の固定手段により固定され、前記固定端と前記複数の固定手段との間に帯板が介装されていることを特徴とする請求項１乃至５のいずれか一項に記載の排熱回収ボイラ。
【請求項７】
前記帯板が、前記ガスシール板に沿うように湾曲していることを特徴とする請求項６記載の排熱回収ボイラ。
【請求項８】
前記ガスシール板の前記自由端の変位量を制限する受け板をさらに備えることを特徴とする請求項１乃至７のいずれか一項に記載の排熱回収ボイラ。
【発明の詳細な説明】
【技術分野】
【０００１】
本発明は、ダクト内に配設された複数の伝熱管の間に熱ガスを流して排熱を回収する排熱回収ボイラに関する。
【背景技術】
【０００２】
従来、ガスタービン又は火炉等で生成される熱ガスから排熱を回収する排熱回収ボイラが広く知られている。排熱回収ボイラは、熱ガスが流れるダクト内に複数の伝熱管が配設された構成を備え、伝熱管内を流れる水又は蒸気等の流体と熱ガスとを熱交換することにより高温の流体を生成する。
このような排熱回収ボイラでは、伝熱管を設置していないダクト内壁近傍は伝熱管群よりも流路抵抗が小さいため、ここを熱ガスがショートパスして後流へ流れることがある。ショートパスする熱ガスの流量が多いと伝熱管群を流れるガス流量が低下して熱交換性能を低下させてしまう。
【０００３】
そこで、図１０に示すように、ショートパス防止手段を備えた排熱回収ボイラが提案、実用化されている。この排熱回収ボイラは、熱ガスが流れるダクト５１と、ダクト５１の内側に、ダクト５１の内面に沿って配置されるバッフル５２と、バッフル５２の内側に配置される伝熱管群５３と、ダクト５１とバッフル５２との間に配置され、熱ガスのショートパスを防止するショートパス防止板５４とを備える。
ボイラ運転時に熱ガス温度が上昇するにしたがって、ダクト５１、バッフル５２、伝熱管５３、またはショートパス防止板５４等の構造物も温度上昇するため、これらの構造物の熱膨張を考慮してショートパス防止板５４とダクト５１内壁との間に隙間５５が形成されるようにショートパス防止板５４が設置されていた。
【０００４】
しかし、ショートパス防止板５４とダクト５１内壁との間の隙間５５が熱ガスの抜け道となり、熱ガスのショートパスが発生してしまうため、熱交換性能を最大限に維持することはできなかった。
これに対して、特許文献１（特開２００４−３０１４７９号公報）には、ダクトと伝熱管群との間に熱ガスのショートパスを防ぐ中間バッフルを設け、中間バッフル接合部を完全固定とせず、最初の運転で伝熱管群の変位により中間バッフルがスライドするような構造とした排熱回収ボイラが開示されている。
【先行技術文献】
【特許文献】
【０００５】
【特許文献１】特開２００４−３０１４７９号公報
【発明の概要】
【発明が解決しようとする課題】
【０００６】
しかしながら、特許文献１に開示される排熱回収ボイラでは、中間バッフルとダクト側との間のシール性が高くなく、この部分を通る熱ガスのショートパスを完全には阻止できなかった。また、ピンが長穴をスライドすることにより中間バッフルがスライド移動する構成としているが、熱膨張により狭くなる隙間にあわせて中間バッフルがスライド移動した後に熱ガスの温度が低下して隙間が広がった場合、この隙間に合わせて中間バッフルを移動させることができないため、中間バッフルとダクトとの間に隙間が形成されてしまい、ここから熱ガスがショートパスしてしまうことも考えられる。このように、熱ガスの温度変動に対応した構成とはなっていなかった。
【０００７】
したがって、本発明はかかる従来技術の問題に鑑み、ボイラ運転時に構造物の熱伸びによる異常応力を発生させずに、ダクトとバッフル間の熱ガスのショートパスを防止することができる排熱回収ボイラを提供することを目的とする。
【課題を解決するための手段】
【０００８】
上記の課題を解決するために、本発明の排熱回収ボイラは、熱ガスが流れるダクトと、前記ダクトの内側に、前記ダクトの内面に沿って配置されるバッフルと、前記バッフルの内側に配置される複数の伝熱管と、前記ダクトと前記バッフルとの間の空間に配置され、前記空間をショートパスする熱ガスを遮るショートパス防止板およびガスシール板とを備え、前記ショートパス防止板は、前記ダクトおよび前記バッフルのいずれか一方から他方に向けて、該他方との間に間隙が形成されるように張り出しており、前記ガスシール板は、一端が固定端で他端が自由端であり、前記固定端と前記自由端との間が前記熱ガスの流れ方向下流側に凸となるように湾曲して前記間隙を塞ぐように配置されることを特徴とする。
【０００９】
本発明によれば、ボイラ運転時に、熱ガスにより伝熱管、バッフル、ダクト、ショートパス防止板、またはガスシール板等の構造物が熱伸びして、ダクト内面とバッフル外面との間の空間が変化した場合でも、ガスシール板は一端が固定端で、他端が自由端となっているため、これらの構造物に異常な応力が発生することがなく、ボイラを円滑に運転可能である。
また、ガスシール板を湾曲させて、ダクト内面またはバッフル外面とショートパス防止板との間隙を塞ぐようにしているため、熱ガスが温度変動した場合であってもダクト内面とバッフル外面との間を隙間なく塞ぐことが可能である。
さらに、ガスシール板は、熱ガスの流れ方向下流側に凸となるように湾曲させているため、ボイラ運転時に、ガスシール板の自由端をその接触面に押し付ける方向へ差圧がかかり、ガスシール性を向上させることができる。
【００１０】
これにより、ボイラ運転時に熱ガスの温度変動があり、ダクト内面またはバッフル外面とショートパス防止板との間隙幅が変化した場合であっても、ガスシール板の復元力によりガスシール板の自由端をその接触面に常時押し付けることができ、ガスシール板とその接触面との間に隙間が形成されることを防ぎ、確実に熱ガスのショートパスを防止することが可能である。
【００１１】
また、前記ショートパス防止板は、前記バッフルに固定され、前記ガスシール板は、前記固定端が前記ショートパス防止板に固定され、前記自由端が前記ダクトの内面に接触していることが好ましい。
このように、ショートパス防止板がバッフル側に固定されていることにより、ショートパス防止板とガスシール板とを、伝熱管が設置される部位に確実に位置させることができる。また、ショートパス防止板とガスシール板とを固定することにより、ガスシール板の取り付けが容易となる。さらにまた、ガスシール板の自由端がダクト内面に接触していることにより、ボイラ運転時に、ガスシール板とダクト内面との間を熱ガスが通流してガスシール板とダクト内面との隙間が開いてしまうことを確実に防止できる。
【００１２】
さらにこのとき、前記ガスシール板が、前記ショートパス防止板の熱ガスの流れ方向下流側の面に固定されており、前記ショートパス防止板が、前記ガスシール板に沿うように湾曲していることが好ましく、これにより、ショートパス防止板端部のエッジによってガスシール板の湾曲部分に応力が集中することを防ぎ、ガスシール板が損傷することを防止できる。
【００１３】
また、前記ショートパス防止板は、前記バッフルに固定され、前記ガスシール板は、前記固定端が前記ダクトの内面に固定され、前記自由端が前記熱ガスの流れ方向上流側の前記ショートパス防止板の面に接触していることが好ましい。
このように、ショートパス防止板がバッフル側に固定されていることにより、ショートパス防止板を、伝熱管が設置される部位に確実に位置させることができる。また、ガスシール板がダクト内面に固定されていることにより、ガスシール板の接合強度を高くすることができ、ショートパス防止板の固定部の応力も小さくできる。さらにまた、ガスシール板の自由端がショートパス防止板の面に接触していることにより、ボイラ運転時に、ガスシール板とダクト内面との間を熱ガスが通流してガスシール板とダクト内面との隙間が開いてしまうことを確実に防止できる。
【００１４】
また、前記ガスシール板の前記固定端は複数の固定手段により固定され、前記固定端と前記複数の固定手段との間に帯板が介装されていることが好ましく、これにより固定手段による応力が分散してガスシール板が破損することを防止できる。
【００１５】
さらに、前記帯板が、前記ガスシール板に沿うように湾曲していることが好ましく、これにより、帯板のエッジによってガスシール板の湾曲部分に応力が集中することを防ぎ、ガスシール板が損傷することを防止できる。
【００１６】
また、前記ガスシール板の前記自由端の変位量を制限する受け板をさらに備えることが好ましい。
このように、ガスシール板の自由端の変位量を制限する受け板を備えることにより、ガスシール板の自由端がその接触面から離れて垂れ下がることを防止できる。
【発明の効果】
【００１７】
以上記載のように本発明によれば、ボイラ運転時に構造物が熱伸びしてダクト内面とバッフル外面との間の空間が変化した場合でも、ガスシール板は一端が固定端で、他端が自由端となっているため、これらの構造物に異常な応力が発生することがなく、ボイラを円滑に運転可能である。
また、ガスシール板を湾曲させて、ダクト内面またはバッフル外面とショートパス防止板との間隙を塞ぐようにしているため、熱ガスが温度変動した場合であってもダクト内面とバッフル外面との間を隙間なく塞ぐことが可能である。
さらに、ガスシール板は、熱ガスの流れ方向下流側に凸となるように湾曲させているため、ボイラ運転時に、ガスシール板の自由端をその接触面に押し付ける方向へ差圧がかかり、ガスシール性を向上させることができる。
【図面の簡単な説明】
【００１８】
【図１】本発明の実施形態に係る排熱回収ボイラの一例を示す全体構成図である。
【図２】排熱回収ボイラの伝熱管部位を拡大した切欠斜視図である。
【図３】図２のＡ−Ａ断面を示す図であり、ショートパス防止手段を示す断面図である。
【図４】図３の第１変形例を示す断面図である。
【図５】図３の第２変形例を示す断面図である。
【図６】帯板を備えたショートパス防止手段を示す斜視図である。
【図７】図６の変形例を示す図で、（Ａ）は帯板をショートパス防止板側に取り付けた断面図で、（Ｂ）は帯板をダクト側に取り付けた断面図である。
【図８】ショートパス防止板を湾曲させた断面図である。
【図９】受け板を備えたショートパス防止手段を示す図で、（Ａ）は受け板をダクト側に取り付けた断面図で、（Ｂ）は受け板をショートパス防止板側に取り付けた断面図である。
【図１０】従来の排熱回収ボイラのショートパス防止板を示す断面図である。
【発明を実施するための形態】
【００１９】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【００２０】
図１及び図２を参照して、本発明の実施形態に係る排熱回収ボイラを説明する。図１は本発明の実施形態に係る排熱回収ボイラの一例を示す全体構成図で、図２は排熱回収ボイラの伝熱管部位を拡大した切欠斜視図である。なお、図１には一例として、ガスタービンコンバインドサイクル発電プラントにおけるガスタービンの熱ガス（排ガス）の熱回収を行う竪型排熱回収ボイラを示しているが、これに限定されるものではない。また、排熱回収ボイラは、熱ガスが垂直方向に流れる竪型、熱ガスが水平方向に流れる横型のいずれであってもよい。
【００２１】
本発明の実施形態に係る排熱回収ボイラ１は、鉛直方向に延設されたダクト２の内部に、節炭器、蒸発器または過熱器等の熱交換部（伝熱管）５を備える。ガスタービン等から排出された熱ガスは、ダクト入口３からダクト２内に導入され、複数の熱交換部５を順次通過して熱回収された後に煙突４から排出される。
熱交換部５は、ガス流れ方向と交差するように水平方向に延設された複数の伝熱管を有する。また、複数の伝熱管５を連結するヘッダ８が、ダクト２を貫通してダクト２外部に設けられている。ヘッダ８のそれぞれは、連絡管及び下降管（図示略）を介して蒸気ドラム９と接続されている。なお、図１では概略表示のため、伝熱管５は方形で表示しているがこれは複数の伝熱管５を集約して表示したものであり、また伝熱管５からヘッダ８の間も１本の線で結んでいるがこれも複数の伝熱管５が寄せ集められている状態を略示したものである。
【００２２】
複数の伝熱管５は、支持板６により支持されて、バッフル７の内側に配置されている。バッフル７は溶接等により支持板６に固定され、ダクト２の内面に沿って配置されている。そして、支持板６またはバッフル７が、例えばダクト２から吊架されることにより、複数の伝熱管５がダクト２内の所定位置に配置されている。
ダクト２の内面とバッフル７の外面との間には空間２０が形成されている。この空間２０にショートパス防止手段１０が設置されている。
ショートパス防止手段１０は、ダクト２の内面とバッフル７の外面との間の空間２０を熱ガスがショートパスすることを防止する。
【００２３】
ショートパス防止手段１０は、ショートパス防止板１１とガスシール板１２とを含む。ショートパス防止板１１は、ダクト２およびバッフル７のいずれか一方から他方に向けて、該他方との間に間隙が形成されるように張り出して配設されている。ガスシール板１２は、一端が固定端で他端が自由端であり、固定端と自由端との間がガス流れ方向下流側に凸となるように湾曲して前記間隙を塞ぐように配置されている。
【００２４】
上記ショートパス防止手段１０の具体的構成を図３乃至図９に示す。
図３は、図２のＡ−Ａ断面を示す図であり、ショートパス防止手段を示す断面図である。ショートパス防止板１１は、ダクト２の内面とバッフル７の外面との間の空間２０に、ガス流れ方向に対して略垂直に配置され、一側の端部１１ａがバッフル７に固定され、他側の端部１１ｂとダクト２との間には間隙が形成されている。ショートパス防止板１１は、鋼板等の剛性を有する材料で形成される。
【００２５】
ガスシール板１２は、一側の端部１２ａがショートパス防止板１１の端部１１ｂに連結された固定端で、他側の端部１２ｂは自由端となっている。ガスシール板１２の端部１２ａは、ショートパス防止板１１のガス流れ方向上流側の面に、固定手段１３により固定されている。図では一例としてボルトにより固定された構成を示しているが、固定手段１３はこれに限定されるものではない。
また、ガスシール板１２は、ショートパス防止板１１とダクト２の内面との間隙よりも長尺であり、固定端である端部１２ａと自由端である端部１２ｂとの間がガス流れ方向下流側に凸となるように湾曲して、ショートパス防止板１１とダクト２内面との間の間隙を塞ぐように配置されている。ガスシール板１２は、例えば鋼板等の剛性を有する材料で形成され、湾曲したときに復元力を有する肉厚であることが好ましい。
【００２６】
このように本実施形態によれば、ボイラ運転時に熱ガスにより伝熱管５、バッフル７、ダクト２、ショートガス防止板１１、またはガスシール板１２等の構造物が熱伸びしてダクト２内面とバッフル７外面との間の空間が変化した場合でも、ガスシール板１２は一端１２ａが固定端で、他端１２ｂが自由端となっているため、これらの構造物に異常な応力が発生することがなく、ボイラを円滑に運転可能である。
【００２７】
また、ガスシール板１２を湾曲させてダクト２内面とショートパス防止板７との間隙を塞ぐようにしているため、熱ガスの温度変動に関わらずダクト２内面とバッフル７外面との間を隙間なく塞ぐことが可能である。
さらに、ガスシール板１２は、ガス流れ方向下流側に凸となるように湾曲させているため、ボイラ運転時に、ガスシール板１２をダクト２内面に押し付ける方向へ差圧がかかり、ガスシール性を向上させることができる。
【００２８】
また、ショートパス防止板１１がバッフル７側に固定されていることにより、ショートパス防止板１１とガスシール板１２とを、伝熱管５が設置される部位に確実に位置させることができる。また、ショートパス防止板１１とガスシール板１２とを固定することにより、ガスシール板１２の取り付けが容易となる。さらに、ガスシール板１２の自由端である端部１２ｂがダクト２内面に接触していることにより、ボイラ運転時に、ガスシール板１２とダクト２内面との間を熱ガスが通流してガスシール板１２とダクト２内面との隙間が開いてしまうことを確実に防止できる。
また、ガスシール板１２はダクト２内面に面接触していることが好ましく、これによりダクト２内面に突起等が存在する場合であっても、ガスシール板１２とダクト２内面との接触を確保でき、確実に熱ガスのショートパスを防止可能である。
【００２９】
さらにまた、ガスシール板１２の自由端である端部１２ｂは、ガスシール板１２の復元力によりショートパス防止板１１とダクト２の内面との間隙を塞ぐ方向に付勢されていることが好ましい。これは、例えば、ガスシール板１２の端部１２ｂがダクト２内面に対して付勢されるような復元力を有するガスシール板１２の材質及び肉厚を選択することにより達成できる。これにより、ボイラ運転時に熱ガスの温度変動があり、ダクト２内面とショートパス防止板１１との間隙幅が変化した場合であっても、ガスシール板１２の復元力によりガスシール板１２の自由端をダクト２内面に常時押し付けることができ、ガスシール板１２とダクト２内面との間に隙間が形成されることを防ぎ、確実に熱ガスのショートパスを防止することが可能となる。
【００３０】
図４は、図３に示したショートパス防止手段１０の第１変形例を示す断面図である。
このショートパス防止手段１０は、ショートパス防止板１１のガス流れ方向下流側の面にガスシール板１２が取り付けられた構成となっている。図３及び図４に示すように、ガスシール板１２は、ショートパス防止板１１の何れの面に取り付けてもよく、ボイラ構造に応じて取り付け面を選択することが好ましい。
【００３１】
図５は、図３に示したショートパス防止手段１０の第２変形例を示す断面図である。
このショートパス防止手段１０は、バッフル７側に固定したショートパス防止板１１の自由端１１ｂ側のガス上流面に、ダクト２側に固定したガスシール板１２の自由端１２ａ側のガス下流面とが接触するように配置されている。
ガスシール板１２の固定端である端部１２ｂは、ショートパス防止板１１よりガス流れ方向上流側に固定手段１３により固定され、ガスシール板１２がガス流れ方向下流側に凸となるように湾曲してその自由端である端部１２ａがショートパス防止板１１の端部１１ｂに接触している。
このように、ガスシール板１２がダクト２内面に固定されていることにより、ガスシール板１２の接合強度を高くすることができ、ガスシール板１２の固定部の応力も小さくできる。
【００３２】
図６は、帯板１４を備えたショートパス防止手段１０を示す斜視図である。
これは、ガスシール板１２を固定する複数の固定手段１３とガスシール板１２との間に、長尺の帯板１４を介装した構成となっている。このように、帯板１４を備えることにより、固定手段１３による応力が分散してガスシール板１２が破損することを防止できる。
なお、帯板１４を介装する構成は、図３乃至図５のいずれに示したショートパス防止手段１０にも適用できる。
【００３３】
図７は、図６の変形例を示す図で、（Ａ）は帯板１４をショートパス防止板１１側に取り付けた断面図で、（Ｂ）は帯板１４をダクト２側に取り付けた断面図である。
これは、ガスシール板１２を固定する複数の固定手段１３とガスシール板１２との間に介装した帯板１４を、ガスシール板１２に沿って湾曲させた構成となっている。帯板１４の曲率は、少なくともガスシール板１２の湾曲の曲率よりも大とすることが好ましい。
このように、帯板１４をガスシール板１２に沿うように湾曲させることにより、帯板１４のエッジによってガスシール板１２の湾曲部分に応力が集中することを防ぎ、ガスシール板１２が損傷することを防止できる。
【００３４】
図８は、ショートパス防止板１１を湾曲させた側面図である。
これは、ガスシール板１２がショートパス防止板１１のガス流れ方向下流側の面に固定されており、ショートパス防止板１１の端部１１ｂを、ガスシール板１２に沿って湾曲させた構成となっている。ショートパス防止板１１の曲率は、少なくともガスシール板１２の湾曲の曲率よりも大とすることが好ましい。
このように、ショートパス防止板１１をガスシール板１２に沿うように湾曲させることにより、ショートパス防止板１１の端部１１ｂのエッジによってガスシール板１２の湾曲部分に応力が集中することを防ぎ、ガスシール板１２が損傷することを防止できる。
【００３５】
図９は、受け板１５を備えたショートパス防止手段１０を示す図で、（Ａ）は受け板１５をダクト２側に取り付けた断面図で、（Ｂ）は受け板１５をショートパス防止板１１側に取り付けた断面図である。
図９（Ａ）に示すショートパス防止手段１０は、バッフル７に固定されたショートパス防止板１１にガスシール板１２を固定した構成を有し、このとき、ダクト２内面に、ガスシール板１２の自由端である端部１２ｂの変位量を制限する受け板１５を設けている。受け板１５は、例えば図に示すように断面Ｌ字状となっており、この受け板１５内にガスシール板１２の端部１２ｂが収容される。
【００３６】
受け板１５の形状は図に示す構成に限定されるものではなく、例えばガスシール板１２の端部１２ｂを挿入可能な環状など、他の構成であってもよい。
【００３７】
図９（Ｂ）に示すショートパス防止手段１０は、バッフル７に固定されたショートパス防止板１１と、ダクト２に固定されたガスシール板１２とを有し、このとき、ショートパス防止板１１のガスシール板接触面に、ガスシール板１２の端部１２ａの変位量を制限する受け板１５を設けている。受け板１５の構成は図９（Ａ）と同一である。
このように、ガスシール板１２の自由端の変位量を制限する受け板１５を備えることにより、ガスシール板１２の自由端がその接触面から離れて垂れ下がることを防止できる。
【００３８】
なお、上記したショートパス防止手段１０では、ショートパス防止板１１をバッフル７側に設けた例につき説明したが、ショートパス防止板１１をダクト２側に設けてもよい。
【符号の説明】
【００３９】
１    排熱回収ボイラ
２    ダクト
３    ダクト入口
４    煙突
５    伝熱管
６    支持板
７    バッフル
８    ヘッダ
９    蒸気ドラム
１０  ショートパス防止手段
１１  ショートパス防止板
１２  ガスシール板
１３  固定手段（ボルト）
１４  帯板
１５  受け板
２０  空間
【図１】
2011122808.tif 000003
【図２】
2011122808.tif 000004
【図３】
2011122808.tif 000005
【図４】
2011122808.tif 000006
【図５】
2011122808.tif 000007
【図６】
2011122808.tif 000008
【図７】
2011122808.tif 000009
【図８】
2011122808.tif 000010
【図９】
2011122808.tif 000011
【図１０】
2011122808.tif 000012